【手続補正書】
【提出日】平成21年5月15日(2009.5.15)
【手続補正１】
【補正対象書類名】特許請求の範囲
【補正対象項目名】全文
【補正方法】変更
【補正の内容】
【特許請求の範囲】
【請求項１】
複数の波長成分を有する入力光を受けるための偏光分割素子であって前記入力光を所定の偏光の２つの光ビームに分解するように適応する偏光分割素子と、
前記所定の偏光の２つの光ビームを予め決められた面に拡大するためのビーム拡大器と、
前記所定の偏光の拡大された２つの光ビームを受け、前記予め決められた面に前記拡大された２つの光ビームの異なる波長成分を分散する分散素子と、
異なる偏光の前記拡大された２つの光ビームの前記分散波長成分を焦点面に集束するための少なくとも１つの光学素子と
本質的に前記焦点面に配置された偏光回転素子であってその個々のピクセルが前記２つの光の個々の波長成分に関連付けられるようにほぼ前記分散方向に沿ってピクセル化され、前記偏光回転素子の少なくとも一つのピクセルが該ピクセルに適用される制御信号によって当該ピクセルを通過する光の偏光を回転させる偏光回転素子と、
前記偏光回転素子の前記少なくとも１つのピクセルを通過する前記２つの光ビームの前記波長成分が前記少なくとも１つのピクセルに戻るように、前記偏光回転素子の近傍で該偏光回転素子の後に配置された反射面とを含む、波長選択光スイッチ。
【請求項２】
前記少なくとも１つのピクセルを通って戻るように反射された前記２つの光の波長成分が本質的にそれらの入力経路に沿って反対方向へ、前記少なくとも１つの光学素子、前記分散素子、前記ビーム拡大器および前記複屈折素子を通って前記スイッチを戻るように向けられ、前記スイッチからの伝送戻りのために、予め決められた異なる偏光の前記少なくとも１つのピクセルを通って反射して戻る光の波長成分のみが前記複屈折素子によって再結合される、請求項１に記載の波長選択光スイッチ。
【請求項３】
前記少なくとも１つのピクセルに関連する波長成分を有する前記光の前記スイッチからの戻り伝送は、前記制御信号によって決まる、請求項２に記載の波長選択光スイッチ。
【請求項４】
前記少なくとも１つのピクセルに適用された前記制御信号は、前記ピクセルを通過する光の前記偏光の方向を本質的に一貫して４５°回転させるようになっている、先の請求項１から３のいずれか一項に記載の波長選択光スイッチ。
【請求項５】
前記入力光は入力ファイバから受け、前記スイッチを通って戻される前記光は出力ファイバに向けられ、また前記スイッチは、前記出力ファイバの光を前記入力ファイバの光と分離する分離素子を含む、請求項２から４のいずれか一項に記載の波長選択光スイッチ。
【請求項６】
前記ビーム分離素子はサーキュレータ又は偏光ビームスプリッタのいずれかである請求項５に記載の波長選択光スイッチ。
【請求項７】
前記ビーム拡大器は、一対のアナモフィックプリズム、単一プリズムおよび円柱レンズ望遠鏡システムのいずれか１つである、請求項１から６のいずれか一項に記載の波長選択光スイッチ。
【請求項８】
前記偏光分割素子は複屈折素子又は偏光ビームスプリッタのいずれかである、請求項１から７のいずれか一項に記載の波長選択光スイッチ。
【請求項９】
前記偏光回転素子は液晶セルである、請求項１から８のいずれか一項に記載の方法の波長選択光スイッチ。
【請求項１０】
さらに、前記反射面の前の複屈折ウエッジを含み、該複屈折ウエッジは、予め決められた偏光の波長成分のみが法線入射で前記反射面に向けられまた反射してそれらの入射経路に沿って戻るように、角度を合わされている、請求項１から９のいずれか一項に記載の波長選択光スイッチ。
【請求項１１】
前記反射面は一方の面に反射膜を有する複屈折ウエッジから成り、該複屈折ウエッジは、予め決められた偏光の波長成分のみが法線入射で前記反射膜に当たりまた反射してそれらの入射経路に沿って戻るように、位置合わせされている、請求項１から９のいずれか一項に記載の波長選択光スイッチ。
【請求項１２】
反射型波長選択光スイッチを構成する方法であって、
光信号の波長成分を選択すべくピクセル化された偏光回転要素を用いる波長選択光スイッチであって前記偏光回転素子のピクセルに当たる前記波長成分の偏光方向の回転によって前記光信号を切り換える波長選択光スイッチを用意すること、
複屈折ウエッジを通る前記光信号の前記波長成分が前記波長成分の偏光方向に応じた角度で逸れるように、前記偏光回転素子の後に前記複屈折ウエッジを配置すること、
前記波長成分が予め決められた偏光を有するときのみ法線入射で前記反射面に当たりまたその入射経路に沿って反射して戻るように、前記複屈折ウエッジの後に反射面を用意することを含む、反射型波長選択光スイッチの構成方法。
【請求項１３】
前記反射面は、前記複屈折ウエッジとは別の反射素子上に設けられ、又は前記複屈折ウエッジ自体の表面上の膜によって提供される、請求項１２に記載の方法。
【請求項１４】
複数の波長成分を有する入力光を受けるための複屈折素子であって前記入力光を予め定義された偏光を有する２つの光ビームに分解するように適応する第１の複屈折素子と、
予め定義された偏光を有する前記２つの光ビームを受け、前記光ビームの異なる波長成分を分散する第１の分散素子と、
予め定義された偏光の前記２つの光ビームの前記分散された波長成分を焦点面に収束するための少なくとも１つの第１の光学素子と、
本質的に前記焦点面に配置された偏光回転素子であってその個々のピクセルが前記拡大された光の個々の波長成分に関連付けられるようにほぼ前記分散方向に沿ってピクセル化され、前記偏光回転素子の少なくとも一つのピクセルが該ピクセルに適用される制御信号によって当該ピクセルを通過する光の偏光を回転させる偏光回転素子と、
前記偏光回転素子の近傍で該偏光回転素子の後に配置された反射面であって前記光ビームが前記ピクセルを通って戻りかつ前記光ビームの入射経路とは空間的に別の出力経路に沿って反射するように位置合わせされた反射面と、
前記光を出力するための出力部とを含み、前記光ビームの透過が前記制御信号によって決まるように、前記出力経路が前記ピクセルを通過した後の前記光ビームを受け、予め決められた偏光のみを透過させる少なくとも１つの偏光選択素子を含む、波長選択光スイッチ。
【請求項１５】
前記光出力のための前記出力部は、
前記出力光ビームをコリメートするための少なくとも１つの光学素子と、
前記光ビームの個々の波長成分を多重波長出力光に結合するように作用する分散素子とを含み、
前記偏光選択素子は、前記２つの光ビームを１つの出力ビームに結合するための第２の複屈折素子である、請求項１４に記載の波長選択光スイッチ。
【請求項１６】
前記出力部の前記少なくとも１つの光学素子は前記第１の少なくとも1つの光素子と共通である、請求項１５に記載の波長選択光スイッチ。
【請求項１７】
前記出力部の前記分散素子は前記第１の分散素子と共通である、請求項１５に記載の波長選択光スイッチ。
【請求項１８】
さらに、予め定義された面に予め決められた偏光を有する前記２つの光ビームを拡大するために、前記第１の分散素子の前に配置されたビーム拡大器を含み、前記拡大された光ビームの異なる波長成分が前記予め決められた面に分散されるように、位置合わせされている、請求項１４から１７のいずれか一項に記載の波長選択光スイッチ。
【請求項１９】
前記光を出力するための前記出力部は、また、前記多重波長出力ビームが前記予め決められた面に圧縮されるように位置合わせされたビーム拡大器を含む、請求項１８に記載の波長選択光スイッチ。
【請求項２０】
前記出力部の前記光拡大器は前記第１の光拡大器と共通である、請求項１９に記載の波長選択光スイッチ。
【請求項２１】
前記第１の複屈折素子は、前記入力光を同じ偏光方向を有する２つの光ビームに分解する、請求項１４から２０のいずれか一項に記載の波長選択光スイッチ。
【請求項２２】
前記第１の複屈折素子および前記第２の複屈折素子は光軸を有し、該両複屈折素子は、それらの中で複屈折を受けたビームが収束するように、相互にそれらの光軸を収斂させて配置されている、請求項１５から２０のいずれか一項に記載の波長選択光スイッチ。
【請求項２３】
前記第１の複屈折素子および前記第２の複屈折素子は光軸を有し、前記両複屈折素子はそれらの中で複屈折を受けたビームが発散するように、前記複屈折素子が相互にそれらの光軸を分岐させて配置されている、請求項１５から２０のいずれか一項に記載の波長選択光スイッチ。
【請求項２４】
さらに、偏光されたビームを分割するビームスプリッタを含み、該ビームスプリッタが、前記ピクセルに適用される前記制御信号に応じて、前記偏光回転素子の前記ピクセルからの入射光を前記偏光選択素子または分離されたポートに向けるように、前記ビーム拡大器と前記偏光選択素子との間に配置されている、請求項２１に記載の波長選択光スイッチ。
【請求項２５】
前記第１の複屈折素子は、前記入力光を異なる偏光方向の２つの光ビームに分解する、請求項１４から２０のいずれか一項に記載の波長選択光スイッチ。
【請求項２６】
前記入力および出力の両経路は、それらの共通な面が前記分散面に直角となるように位置合わせされている、請求項１４から２５のいずれか一項に記載の波長選択光スイッチ。
【請求項２７】
前記反射面は、前記光ビームの前記出力経路および前記入射経路が前記分散面に配置されるように、位置合わせされている、請求項１４から２５のいずれか一項に記載の波長選択光スイッチ。